(57)【要約】【課題】本発明は、洗面ボウルの排水口に装着されて毛髪やゴミ等を捕集するヘアキャッチャーに関するもので、捕集した毛髪やゴミ等が密着し絡み合ったものであっても容易に除去することができるヘアキャッチャーを提供する。【解決手段】水栓部３に軸部４を垂下形成し、該軸部４にゴミ捕集部５を形成したヘアキャッチャーにおいて、ゴミ捕集部５を複数に分割し、分割ゴミ捕集部７、８の少なくとも一つ８を上下移動自在に軸部４に保持し、捕集した毛髪やゴミ等を除去するとき分割ゴミ捕集部７、８間に高低差を生じせしめることを特徴とするヘアキャッチャーである。【選択図】図３
2008081936.tif 000002
【特許請求の範囲】
【請求項１】
水栓部に軸部を垂下形成し、該軸部にゴミ捕集部を形成したヘアキャッチャーにおいて、ゴミ捕集部を複数に分割し、分割ゴミ捕集部の少なくとも一つを上下移動自在に軸部に保持してなることを特徴とするヘアキャッチャー。
【請求項２】
ゴミ捕集部を外周面部と中央面部に分割したことを特徴とする請求項１記載のヘアキャッチャー。
【発明の詳細な説明】
【技術分野】
【０００１】
本発明は、ヘアキャッチャーに関するもので、詳しく述べれば、洗面ボウルの排水口に装着されて毛髪やゴミ等を捕集し、捕集した後のヘアキャッチャーから容易に捕集物である毛髪やゴミ等を除去できるヘアキャッチャーに関するものである。
【背景技術】
【０００２】
従来から、洗面ボウルに落ちた毛髪やゴミ等を捕集するために、排水栓（ケレップ）の下部に垂設されたヘアキャッチャーを排水口内に挿入し、排水栓を排水口に開閉自在に嵌着することが行われている。そして、このヘアキャッチャーに捕集された毛髪やゴミ等の除去を簡単に行えるヘアキャッチャーも提案されている。例えば特許文献１に示されるヘアキャッチャーである。
【０００３】
このヘアキャッチャーは格子状リブを放射状に形成した円錐部と格子状リブを円筒形に形成した台部とを有する捕集ネット部と、台部周縁の円周方向に延設された段差を有する捕集リング部とから構成されるものであり、毛髪やゴミ等は捕集リング部の上に堆積し容易に取り除くことができるものである。
【０００４】
しかしながら、この従来のヘアキャッチャーは捕集リング部の上に堆積した毛髪やゴミ等が密着し絡み合っているために捕集リング部の上に堆積した状態であっても毛髪やゴミ等を容易に除去するには充分なものでなかった。
【特許文献１】特開２００５―８３１１８号公報  （図１及び図３）
【発明の開示】
【発明が解決しようとする課題】
【０００５】
本発明は、洗面ボウルの排水口に装着されて毛髪やゴミ等を捕集するヘアキャッチャーに関するもので、捕集した毛髪やゴミ等が密着し絡み合ったものであっても容易に除去することができるヘアキャッチャーを提供することをその課題とするものである。
【課題を解決するための手段】
【０００６】
上記課題を解決するために、本発明にかかるヘアキャッチャーは、請求項１においては、水栓部に軸部を垂下形成し、該軸部にゴミ捕集部を形成したヘアキャッチャーにおいて、ゴミ捕集部を複数に分割し、分割ゴミ捕集部の少なくとも一つを上下移動自在に軸部に保持してなることを特徴とするヘアキャッチャーであり、請求項２においては、ゴミ捕集部を外周面部と中央面部に分割したことを特徴とする請求項１記載のヘアキャッチャーである。
【発明の効果】
【０００７】
請求項１に記載のヘアキャッチャーは、ゴミ捕集部を複数に分割し、分割ゴミ捕集部の少なくとも一つを上下移動自在に保持してなるために、ヘアキャッチャーに捕集された毛髪やゴミ等を除去するには分割ゴミ捕集部の少なくとも一つを上下いずれかに移動せしめる。分割ゴミ捕集部を移動させると捕集された毛髪やゴミ等は分割ゴミ捕集部間に跨った状態になりこの部分の毛髪やゴミ等を掴めば容易に除去されることになる。
【０００８】
請求項２に記載のヘアキャッチャーは、ゴミ捕集部を外周面部と中央面部に分割したことを特徴とするために、請求項１に記載のヘアキャッチャーの効果に加え、外周面部と中央面部間に捕集された毛髪やゴミ等が全体的に跨った状態となり、さらに容易に除去することができるものである。
【発明を実施するための最良の形態】
【０００９】
以下、本発明のヘアキャッチャーの実施形態について図面を参照して詳細に説明する。図１は本発明のヘアキャッチャーを用いた洗面化粧台１の斜視図である。洗面化粧台１は上面に洗面ボウル２を有し、洗面ボウル２には水栓部３が設けられている。水栓部３には図２に示す如く軸部４が垂下形成され、軸部４にゴミ捕集部５が形成されている。６は重錘である。
【００１０】
ゴミ捕集部５は図３に示す如く、外周面捕集部７と中央面捕集部８に分割された分割捕集部でなっており、中央面捕集部８が軸部４に係合した状態で上方に移動し、外周面捕集部７と中央面捕集部８との間に高低差を生じせしめている。ヘアキャッチャーのゴミ捕集部５は図２に示す状態で使用され毛髪やゴミ等を捕集する。ゴミ捕集部５が毛髪やゴミ等を捕集した後、ゴミ捕集部５より毛髪やゴミ等を除去するときはヘアキャッチャーを引き抜き、図３に示す如く分割捕集部である中央面捕集部８を軸部４に係合した状態で上方に移動せしめて外周面捕集部７と中央面捕集部８に高低差を生じせしめる。
【００１１】
外周面捕集部７と中央面捕集部８との間に高低差を生じせしめると捕集した毛髪やゴミ等は外周面捕集部７と中央面捕集部８に跨った状態となり、この部分から容易に毛髪やゴミ等を剥離除去することができるものである。外周面捕集部７と中央面捕集部８は多数のリブ片で形成してもよく、網状体で形成してもよいもので、特に限定されるものではない。
【００１２】
図４、図５はヘアキャッチャーの異なった実施例を示すもので、水栓部９より垂下形成した軸部１０に分割捕集部である半円捕集部１１、１２を形成してなるもので、ヘアキャッチャーとして使用するときは図５に示す状態、即ち、半円捕集部１１、１２間に高低差を設けることなく使用し、毛髪やゴミ等を剥離除去するときは図４に示す如く、分割捕集部である半円捕集部１１、１２のいずれか一方を上下に移動せしめ半円捕集部１１、１２間に高低差をつける。
【００１３】
半円捕集部１１、１２間に高低差が生じると捕集された毛髪やゴミ等は両者に跨った状態となり、この部分より毛髪やゴミ等を剥離除去することが容易に行うことができるものである。半円捕集部１１はバネ性挟着片１４により軸部１０に挟着取り付けされているものであり、半円捕集部１２はバネ性挟着片１３により軸部１０に挟着取り付けされているものである。半円捕集部１１、１２はバネ性挟着片１４、バネ性挟着片１３により軸部１０に挟着取り付けされているために軸部１０の任意の位置に取り付けることができ、容易に高低差をつけて取り付けることができるものである。
【図面の簡単な説明】
【００１４】
【図１】本発明にかかるヘアキャッチャーを使用した洗面化粧台の斜視図。
【図２】図１に使用した本発明の実施例の斜視図。
【図３】図２に示す実施例の異なった状態の斜視図。
【図４】本発明の異なった実施例の斜視図。
【図５】図４に示す実施例の正面図。
【符号の説明】
【００１５】
１            洗面化粧台
２            洗面ボウル
３、９        水栓部
４、１０      軸部
５            ゴミ捕集部
６            重錘
７            外周面捕集部
８            中央面捕集部
１１、１２    半円捕集部
１３、１４    バネ性挟着片
【図１】
2008081936.tif 000003
【図２】
2008081936.tif 000004
【図３】
2008081936.tif 000005
【図４】
2008081936.tif 000006
【図５】
2008081936.tif 000007